(57)【要約】【課題】加湿に使用する水道水内のスケール成分の析出を抑制し、加湿装置の耐久性を維持したサウナ装置を提供することを目的とする。【解決手段】空気を加熱するヒーター２３と、ヒーター２３により加温された空気を浴室内１に送風する送風手段２０と、空気を加湿する加湿手段１６と空気を吸込む吸込口１８と浴室１に空気を吹き出す吹出口１９を備え、ヒーター２３は送風手段２０と吹出口１９との間に配置され、一方１８吸込口から送風手段２０を介して吹出口１９に導く循環流通路２１は途中に加湿手段１６より発生した加湿空気を吸込む合流部２２を備え、加湿手段１６は１℃〜５０℃の範囲の水を加湿するため、加湿手段１６内の水および吹き出した加湿空気内のスケール析出を抑制したサウナ装置が得られる。【選択図】図１
2011056295.tif 000002
【特許請求の範囲】
【請求項１】
空気を加熱する加熱手段と、前記加熱手段により加温された空気を浴室内に送風する送風手段と、空気を加湿する加湿手段と空気を吸込む吸込口と浴室に空気を吹き出す吹出口を備え、前記加熱手段は前記送風手段と前記吹出口との間に配置され、一方前記吸込口から前記送風手段を介して前記吹出口に導く循環流通路は途中に前記加湿手段より発生した加湿空気を吸込む合流部を備え、前記加湿手段は１℃〜５０℃の範囲の水を加湿することを特徴としたサウナ装置。
【請求項２】
加湿手段から発生する水滴粒子平均径が１０μｍ以下であることを特徴とする請求項１記載のサウナ装置。
【請求項３】
加湿手段が高圧スプレー加湿方式あるいは遠心加湿方式あるいは超音波加湿方式により水を微細化する水噴霧方式を用いたことを特徴とする請求項１および２記載のサウナ装置。
【請求項４】
加湿手段に超音波発振子を用いたことを特徴とする請求項１〜３のいずれかに記載のサウナ装置。
【請求項５】
加湿空気中の大粒水滴と微細水滴を分離する気液分離手段を加湿手段の風下側に設け、微細な水滴のみを吹出口より吹き出すことを特徴とした請求項１〜４のいずれかに記載のサウナ装置。
【請求項６】
吸込口と浴室内に送風する送風手段の間に加湿手段により加湿された空気が合流する合流部を備え、前記送風手段は回転する羽根であり、前記羽根に加湿空気が衝突することにより前記送風手段が大粒水滴と微細水滴を分離する気液分離手段としたことを特徴とする請求項１〜５のいずれかに記載のサウナ装置。
【請求項７】
吹出口と浴室内に送風する送風手段の間に加湿手段により加湿された空気が合流する合流部を備えたことを特徴とする請求項１〜５のいずれかに記載のサウナ装置。
【請求項８】
超音波発振子と前記超音波発振子の上側には水を貯水するタンクを備え、前記タンクの温度を一定温度以下に保つことを特徴とする請求項４記載のサウナ装置。
【請求項９】
水を貯水するタンクにはタンク内の水温を検知する水温検知手段を設けたことを特徴とする請求項８記載のサウナ装置。
【請求項１０】
水を貯水するタンクはタンクを反転させる回転支持手段を備え、前記回転指示手段は前記回転指示手段を駆動する回転駆動手段に連結され、前記回転駆動手段は制御手段と電気的に接続され、一方タンクの該下側には水を受けるパンを備え、前記パンは配水管と接続された構造であり、前記タンクに貯水してから一定時間経過、あるいはサウナ装置運転停止後に前記タンクが反転して、前記タンク内に貯水された水を前記パンに落とし込むことを特徴とした請求項１記載のサウナ装置。
【請求項１１】
空気を加熱する加熱手段と空気を浴室内に送風する送風手段と空気を加湿する加湿手段と大粒水滴と微細水滴を分離する気液分離手段を備え、前記送風手段の吹出側の空気流通路は前記加湿手段を介す第１の通風路と前記加湿手段を介さない第２の通風路に分離され、前記第１の通風路の前記加湿手段風下側に第２の通風路と合流する通風路と浴室に吹き出す通風路を切り換える風路切替ダンパーを備え、前記第２の通風路は前記風路切替ダンパーの風下側に前記気液分離手段を設けることを特徴としたサウナ装置。
【請求項１２】
空気を加湿する手段に超音波発振子を用いた加湿手段で、前記加湿手段は超音波発振子と前記超音波発振子を固定する発振子固定手段と水を貯水するタンクと前記タンクに水を供給する給水口配管と前記タンクの水を排水する排水口配管を備え、前記タンクは底面に反射板を備え、前記超音波発振子が前記反射板に向き合う方向に取り付けたことを特徴としたサウナ装置。
【請求項１３】
水を貯水するタンク底面に対し反射板を斜めに備え、前記反射板と平行になる角度で超音波発振子を取り付けたことを特徴とする請求項１２記載のサウナ装置。
【発明の詳細な説明】
【技術分野】
【０００１】
本発明は、浴室内を加湿し、温度と湿度を調整することにより、浴室内をサウナ空間とするサウナ装置に関する。
【背景技術】
【０００２】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている（例えば、特許文献１参照）。
【０００３】
以下、そのサウナ装置について図１２および図１３を参照しながら説明する。
【０００４】
図１２は、従来のサウナ装置の内部構造の概略を示す側面構成図である。
【０００５】
図１２に示すように、外装体１０１の内部において、複数の湯噴出口１０４を有する噴出湯管１０５が上部に配置され、噴出湯管１０５の下方に複数の薄板１０７とパイプ状の連結部材１０６で構成される熱交換促進部材１０８が配置され、さらにその下部にファンユニット１０９が配置されている。湯噴出口１０４から熱交換促進部材１０８上に噴出された温水の一部が蒸発して発生する水蒸気を、ファンユニット１０９によって空気吸入口１０２から吸引された空気に供給し、スチーム吹出し口１０３から浴室内に噴出し、熱交換後の温水はドレンパン１１０に集められ、外部へ排水される。
【０００６】
また、この種のサウナ装置には、浴室乾燥機に組み込まれているものもある（例えば、特許文献２参照）。
【０００７】
以下、そのサウナ装置について図１３を参照しながら説明する。
【０００８】
図１３に示すように、循環ファン１１１や可動ルーバ１１２を設けた装置本体１１３を覆うグリル板１１４を設け、装置本体１１３は本体ケーシング１１３ａ内に吸気口１１５を通して室内の空気を吸引し、吹出口１１６より空気を吹き出すための循環通風路１１７と、循環通風路１１７に対して通風作用をする循環ファン１１１と、循環通風路１１７を通風する空気を加熱する熱交換器１１８と、吹出口１１６を通して吹き出される空気の吹き出し方向を可変する可動ルーバ１１２と、室内の空気を吸引して排気ダクト１１９を通し屋外に排気する換気ファン１２０と、吸気口１１５の側方に室内にミストを噴出するミスト噴出部１２１を設け構成していた。
【先行技術文献】
【特許文献】
【０００９】
【特許文献１】特開平６−６３１０３号公報（第５頁、第３図）
【特許文献２】特開２００２−３３６３２７号公報（［００２１］〜［００２３］、図５）
【発明の概要】
【発明が解決しようとする課題】
【００１０】
このような特許文献１に示す従来のサウナ装置では、噴出湯管１０５の湯噴出口１０４から噴出された温水が熱交換促進部材１０８の上に垂らされ蒸発するため、水分中通常含まれているカルシウム、マグネシウム、シリカ等のミネラル分は熱交換促進部材１０８表面あるいはファンユニット１０９からスチーム吹出し口１０３の間の風路に付着し、スケールとなって表面に固着するため、製品性能の低下および製品寿命の短縮につながるといった課題があり、製品内部に多量のスケールが付着しないことが要求されている。
【００１１】
一方、特許文献２に示されるサウナ装置は、ミスト噴出部１２１により水圧のみで噴出されているため、水滴が直接使用者に当たったり、浴室の壁面および天井面に多く付着する等の課題があり、サウナ室内でも読書等行動が制約されないまたはサウナ使用後の浴室内の乾燥が容易にできる空間を提供することが要求されている。また、浴室内を温める吹出口１１６とミスト噴出部１２１が異なる場所にあり、かつミスト噴出部１２１から浴室内に供給される水滴径が大きいために、加湿空気とミストが混合されず温度と湿度による温湿度むらが発生するという課題があり、温風と湿度を混合して均一な温湿度を得ることが要求されている。
【００１２】
本発明は、このような従来の課題を解決するものであり、サウナ装置内部のスケールの析出量を低減し、粒径の細かい水滴を生成し均一の温湿度を得ることができ、またサウナ室内で読書ができるサウナ装置を提供することを目的としている。
【課題を解決するための手段】
【００１３】
本発明のサウナ装置は上記目的を達成するために、空気を加熱する加熱手段と、加熱手段により加温された空気を浴室内に送風する送風手段と、空気を加湿する加湿手段と空気を吸込む吸込口と浴室に空気を吹き出す吹出口を備え、加熱手段は送風手段と吹出口との間に配置され、一方吸込口から送風手段を介して吹出口に導く循環流通路は途中に加湿手段より発生した加湿空気を吸込む合流部を備え、加湿手段は１℃〜５０℃の範囲の水を加湿するとしたものであり、加湿に使用する水の水温がミネラル成分の析出が多くなる６０度以下のため、従来の温水を使用して加湿する方式と比較してスケールの析出量を少なくすることができるサウナ装置が得られる。
【００１４】
また、他の手段は、加湿手段から発生する水滴粒子平均径が１０μｍ以下としたものであり、加熱手段により加熱された空気と交わる際に水滴径が細かいため気流に乗り吹出口より加湿空気として浴室内に供給するため、大粒水滴を加熱空気流で加熱した結果大粒水滴が自重で落下し浴室内空気の加熱・加湿にほとんど関与することなく排水されるようなロスが少なくなり、有効に熱量を浴室内に供給することができるサウナ装置が得られる。
【００１５】
また、他の手段は、加湿手段が高圧スプレー加湿方式あるいは遠心加湿方式あるいは超音波加湿方式により水を微細化する水噴霧方式を用いたものであり、他の加湿手段である気化式のように透湿膜にスケールが溜まることなく、蒸気式のように加熱部にスケールが溜まることのないサウナ装置が得られる。
【００１６】
また、他の手段は、加湿手段に超音波発振子を用いたものであり、他の水噴霧方式であるスプレー方式や回転円盤式と比較して静音化を図ることができるサウナ装置が得られる。
【００１７】
また、他の手段は、加湿空気中の大粒水滴と微細水滴を分離する気液分離手段を加湿手段の風下側に設け、微細な水滴のみを吹出口より吹き出すとしたものであり、吹出口から吹き出す加湿空気内のスケール含有を低減することができるサウナ装置が得られる。
【００１８】
また、他の手段は、吸込口と浴室内に送風する送風手段の間に加湿手段により加湿された空気が合流する合流部を備え、送風手段は回転する羽根であり、羽根に加湿空気が衝突することにより送風手段が大粒水滴と微細水滴を分離する気液分離手段としたものであり、気液分離手段と送風手段を同一の手段で行うため、装置のコンパクト化を図ることのできるサウナ装置が得られる。
【００１９】
また、他の手段は、吹出口と浴室内に送風する送風手段の間に加湿手段により加湿された空気が合流する合流部を備えたものであり、加湿した空気は気液分離手段を通過しないため加湿性能を向上することができるサウナ装置が得られる。
【００２０】
また、他の手段は、超音波発振子と超音波発振子の上側には水を貯水するタンクを備え、タンクの温度を一定温度以下に保つ構成としたものであり、タンク内でのスケールの析出および菌の抑制をすることができるサウナ装置が得られる。
【００２１】
また、他の手段は、水を貯水するタンクにはタンク内の水温を検知する水温検知手段を設けたものであり、タンクの温度を一定温度に保つため、タンク内でのスケールの析出および菌の抑制をすることができ、またタンク内温度を変化させることにより加湿量を変化することができるサウナ装置が得られる。
【００２２】
また、他の手段は、水を貯水するタンクはタンクを反転させる回転支持手段を備え、回転指示手段は回転指示手段を駆動する回転駆動手段に連結され、回転駆動手段は制御手段と電気的に接続され、一方タンクの該下側には水を受けるパンを備え、パンは配水管と接続された構造であり、タンクに貯水してから一定時間経過、あるいはサウナ装置運転停止後にタンクが反転して、タンク内に貯水された水をパンに落とし込む構成としたものであり、タンク内の残水による菌の増殖および残水からのスケールの析出を抑制し、超音波発振子の表面を汚れた水から保護することができるサウナ装置が得られる。
【００２３】
また、他の手段は、空気を加熱する加熱手段と空気を浴室内に送風する送風手段と空気を加湿する加湿手段と大粒水滴と微細水滴を分離する気液分離手段を備え、送風手段の吹出側の空気流通路は加湿手段を介す第１の通風路と加湿手段を介さない第２の通風路に分離され、第１の通風路の加湿手段風下側に第２の通風路と合流する通風路と浴室に吹き出す通風路を切り換える風路切替ダンパーを備え、第２の通風路は風路切替ダンパーの風下側に気液分離手段を設けたものであり、風路切替ダンパーを切り替えることにより微細で目に見えない加湿モードと靄状の加湿モードを切り替えることができるサウナ装置が得られる。
【００２４】
また、他の手段は空気を加湿する手段に超音波発振子を用いた加湿手段で、加湿手段は超音波発振子と超音波発振子を固定する発振子固定手段と水を貯水するタンクとタンクに水を供給する給水口配管とタンクの水を排水する排水口配管を備え、タンクは底面に反射板を備え、超音波発振子が反射板に向き合う方向に取り付けたものであり、排水口配管より排水したときに超音波発振子表面に水が残らないサウナ装置が得られる。
【００２５】
また、他の手段は、超音波発振子と超音波発振子を固定する発振子固定手段と水を貯水するタンクとタンクに水を供給する給水口配管とタンクの水を排水する排水口配管を備え、水を貯水するタンク底面に対し反射板を斜めに備え、反射板と平行になる角度で超音波発振子を取り付けたものであり、タンクに給水したときに超音波発振子表面に空気が残らないサウナ装置が得られる。
【発明の効果】
【００２６】
本発明によれば、空気を加熱する加熱手段と、加熱手段により加温された空気を浴室内に送風する送風手段と、空気を加湿する加湿手段と空気を吸込む吸込口と浴室に空気を吹き出す吹出口を備え、加熱手段は送風手段と吹出口との間に配置され、一方吸込口から送風手段を介して吹出口に導く循環流通路は途中に加湿手段より発生した加湿空気を吸込む合流部を備え、加湿手段は１℃〜５０℃の範囲の水を加湿するとしたものであり、加湿に使用する水の水温がミネラル成分の析出が多くなる６０℃以下にすることにより、スケールの析出量を低減することが可能で、製品の掃除・メンテナンス、寿命の長期化、あるいは吹出口から白粉（スケール）が吹き出す現象を低減することができるという効果のあるサウナ装置を提供できる。
【００２７】
また、加湿手段から発生する水滴粒子平均径が１０μｍ以下としたものであり、加熱手段により加熱された空気と交わる際に水滴径が細かいため気流に乗り吹出口より加湿空気として浴室内に供給することにより、浴室内の空気を暖める熱量に対して投入熱量のロスが少なくなり、有効に熱量を浴室内に供給することができるという効果のあるサウナ装置を提供できる。
【００２８】
また、加湿高圧スプレー加湿方式あるいは遠心加湿方式あるいは超音波加湿方式により水を微細化する水噴霧方式を用いることにより、装置内へのスケールの付着を低減するという効果のあるサウナ装置を提供できる。
【００２９】
また、加湿手段に超音波発振子を用いたものにすることにより、他の水噴霧方式と比較して静音化が図れるという効果のあるサウナ装置を提供できる。
【００３０】
また、加湿空気中の大粒水滴と微細水滴を分離する気液分離手段を加湿手段の風下側に設けることにより、吹出口から吹き出す加湿空気内のスケール含有を低減し、また使用者に水滴が当たるというわずらわしさがないという効果のあるサウナ装置を提供できる。
【００３１】
また、吸込口と浴室内に送風する送風手段の間に加湿手段により加湿された空気が合流する合流部を備え、送風手段は回転する羽根であり、羽根に加湿空気が衝突することにより送風手段が大粒水滴と微細水滴を分離する気液分離手段とすることにより、装置のコンパクト化を図ることができ、羽根の回転速度を可変させることにより気液分離性能が変化し加湿量を変化することが容易に可能となるという効果のあるサウナ装置を提供できる。
【００３２】
また、吹出口と浴室内に送風する送風手段の間に加湿手段により加湿された空気が合流する合流部を備えることにより、加湿空気が気液分離により減湿されないため加湿性能の向上という効果のあるサウナ装置を提供できる。
【００３３】
また、超音波発振子と超音波発振子の上側には水を貯水するタンクを備え、タンクの温度を一定温度以下に保つことにより、タンク内でのスケールの析出および菌の抑制をするという効果のあるサウナ装置を提供できる。
【００３４】
また、水を貯水するタンクにはタンク内の水温を検知する水温検知手段を設けることにより、タンクの温度を一定温度に保つたことができ、スケール析出の抑制および菌の繁殖抑制ができ、さらに水温変化により水の粘度が変わり加湿量を変化することができるという効果のあるサウナ装置を提供できる。
【００３５】
また、水を貯水するタンクはタンクを反転させる回転支持手段を備え、回転指示手段は回転指示手段を駆動する回転駆動手段に連結され、回転駆動手段は制御手段と電気的に接続され、一方タンクの該下側には水を受けるパンを備え、パンは配水管と接続された構造であり、タンクに貯水してから一定時間経過、あるいはサウナ装置運転停止後にタンクが反転して、タンク内に貯水された水をパンに落とし込む構成とすることにより、タンク内の残水がなくなり、残水による菌の増殖および残水からのスケールの析出を抑制し、超音波発振子の表面を汚れた水から保護するという効果のあるサウナ装置を提供できる。
【００３６】
また、空気を加熱する加熱手段と空気を浴室内に送風する送風手段と空気を加湿する加湿手段と大粒水滴と微細水滴を分離する気液分離手段を備え、送風手段の吹出側の空気流通路は加湿手段を介す第１の通風路と加湿手段を介さない第２の通風路に分離され、第１の通風路の加湿手段風下側に第２の通風路と合流する通風路と浴室に吹き出す通風路を切り換える風路切替ダンパーを備え、第２の通風路は風路切替ダンパーの風下側に気液分離手段を設けることにより、風路切替ダンパーを切り替えることができ、微細で目に見えない加湿モードと靄状の加湿モードを切り替えられるという効果のあるサウナ装置を提供できる。
【００３７】
また、空気を加湿する手段に超音波発振子を用いた加湿手段で、加湿手段は超音波発振子と超音波発振子を固定する発振子固定手段と水を貯水するタンクとタンクに水を供給する給水口配管とタンクの水を排水する排水口配管を備え、タンクは底面に反射板を備え、超音波発振子が反射板に向き合う方向に取り付けたことにより、排水口配管より排水したときに超音波発振子表面に水が残らないため、発振子表面への水成分内のスケールの析出、および残水内の菌の増殖を抑制する効果のあるサウナ装置を提供できる。
【００３８】
また、他の手段は、超音波発振子と超音波発振子を固定する発振子固定手段と水を貯水するタンクとタンクに水を供給する給水口配管とタンクの水を排水する排水口配管を備え、水を貯水するタンク底面に対し反射板を斜めに備え、反射板と平行になる角度で超音波発振子を取り付けたものであり、タンクに給水したときに超音波発振子表面の空気ダマが斜め方向に抜けるため、超音波発振子表面の空気ダマがなくなり、空気を振動させることがなくなるため空気ダマによる超音波発振子の故障を低減するという効果のあるサウナ装置を提供できる。
【図面の簡単な説明】
【００３９】
【図１】本発明の実施の形態１のサウナ装置の側面構成図
【図２】同サウナ装置の超音波発振子を用いた場合の吹出口水滴粒径分布の一例を示す図
【図３】同サウナ装置の加湿手段以降に気液分離手段を設けたときの吹出口水滴粒径分布の一例を示す図
【図４】本発明の実施の形態２のサウナ装置の側面構成図
【図５】本発明の実施の形態３のサウナ装置の側面構成図
【図６】同サウナ装置の加湿手段の構成図
【図７】本発明の実施の形態４のサウナ装置の側面構成図
【図８】本発明の実施の形態５のサウナ装置の側面構成図
【図９】同サウナ装置の加湿手段の構成図
【図１０】本発明の実施の形態６のサウナ装置の側面構成図
【図１１】同サウナ装置の加湿手段の構成図
【図１２】従来のサウナ装置の側面構成図
【図１３】同サウナ装置別方式の側面構成図
【発明を実施するための形態】
【００４０】
本発明の請求項１記載のサウナ装置は、空気を加熱する加熱手段と、加熱手段により加温された空気を浴室内に送風する送風手段と、空気を加湿する加湿手段と空気を吸込む吸込口と浴室に空気を吹き出す吹出口を備え、加熱手段は送風手段と吹出口との間に配置され、一方吸込口から送風手段を介して吹出口に導く循環流通路は途中に加湿手段より発生した加湿空気を吸込む合流部を備え、加湿手段は１℃〜５０℃の範囲の水を加湿するものであり、浴室内を加温するために必要以上の熱量を入力することなく、つまり消費電力を低減、および水中内のスケール析出が低減できるとともに白粉吹き出しの現象を低減するという作用を有する。一方水の温度が上がらないことにより周囲部品の耐久性が向上するという作用を有する。
【００４１】
また、請求項２記載のサウナ装置は、加湿手段から発生する水滴粒子平均径が１０μｍ以下としたものであり、加熱手段により加熱された空気と交わる際に水滴径が細かいため気流に乗り吹出口より加湿空気として浴室内に供給としたものであり、浴室内を加温・加熱するために最低限必要な熱量のみの浴室内投入となるため、非常に加熱加湿効率を良くすることができる。
【００４２】
また、請求項３記載のサウナ装置は、加湿手段が高圧スプレー加湿方式あるいは遠心加湿方式あるいは超音波加湿方式により水を微細化する水噴霧方式を用いたものであり、装置内へのスケール堆積を低減できるため製品の寿命を延命でき、メンテナンスの頻度を少なくすることができる。
【００４３】
また、請求項４記載のサウナ装置は、加湿手段に超音波発振子を用いたものものであり、静音化が図れるとともに、給水圧など外乱に対しての加湿量変動がなく安定した加湿量を供給することができる。
【００４４】
また、請求項５記載のサウナ装置は、加湿空気中の大粒水滴と微細水滴を分離する気液分離手段を加湿手段の風下側に設けた構成としたものであり、吹出口からは微細水滴が吹き出すため、天井等が水滴でびしょびしょになることもなく、サウナ使用後の清掃（浴室乾燥）を容易に行うことができる。
【００４５】
また、請求項６記載のサウナ装置は、吸込口と浴室内に送風する送風手段の間に加湿手段により加湿された空気が合流する合流部を備え、送風手段は回転する羽根であり、羽根に加湿空気が衝突することにより送風手段が大粒水滴と微細水滴を分離する気液分離手段としたものであり、衝突と遠心分離による気液分離を行うことができ、また送風機能も兼ねるため、装置を小型化することができる。
【００４６】
また、請求項７記載のサウナ装置は、吹出口と浴室内に送風する送風手段の間に加湿手段により加湿された空気が合流する合流部を備えたものであり、加湿空気が送風手段より風下側にあるため高湿による送風手段の信頼性・耐久性の確保が容易とすることができる。
【００４７】
また、請求項８記載のサウナ装置は、超音波発振子と超音波発振子の上側には水を貯水するタンクを備え、タンクの温度を一定温度以下に保つ構成としたものであり、スケール・菌の繁殖を抑制するとともに超音波発振子を用いた場合製品寿命を確保することが容易となる。
【００４８】
また、請求項９記載のサウナ装置は、水を貯水するタンクにはタンク内の水温を検知する水温検知手段を設けたものであり、タンク内の水温管理ができるため加湿手段寿命の予想が容易となり、スケール・雑菌の繁殖を抑制でき、加湿量も一定にすることができる。
【００４９】
また、請求項１０記載のサウナ装置は、水を貯水するタンクはタンクを反転させる回転支持手段を備え、回転指示手段は回転指示手段を駆動する回転駆動手段に連結され、回転駆動手段は制御手段と電気的に接続され、一方タンクの該下側には水を受けるパンを備え、パンは配水管と接続された構造であり、タンクに貯水してから一定時間経過、あるいはサウナ装置運転停止後にタンクが反転して、タンク内に貯水された水をパンに落とし込む構成としたものであり、タンク内に残水が残らないため、スケールの析出、雑菌の繁殖がなく、超音波発振子を保護するため、製品のメンテナンス頻度の低減および製品寿命を容易に確保することができる。
【００５０】
また、請求項１１記載のサウナ装置は、空気を加熱する加熱手段と空気を浴室内に送風する送風手段と空気を加湿する加湿手段と大粒水滴と微細水滴を分離する気液分離手段を備え、送風手段の吹出側の空気流通路は加湿手段を介す第１の通風路と加湿手段を介さない第２の通風路に分離され、第１の通風路の加湿手段風下側に第２の通風路と合流する通風路と浴室に吹き出す通風路を切り換える風路切替ダンパーを備え、第２の通風路は風路切替ダンパーの風下側に気液分離手段を設けたものであり、微細な水滴加湿と視覚に訴える靄加湿とに切り換えることができ、サウナ浴を様々なバリエーションで楽しむことができる。
【００５１】
また、請求項１２記載のサウナ装置は、空気を加湿する手段に超音波発振子を用いた加湿手段で、加湿手段は超音波発振子と超音波発振子を固定する発振子固定手段と水を貯水するタンクとタンクに水を供給する給水口配管とタンクの水を排水する排水口配管を備え、タンクは底面に反射板を備え、超音波発振子が反射板に向き合う方向に取り付けたことにより、排水口配管より排水したときに超音波発振子表面に水が残らないため、発振子表面への水成分内のスケールの析出、および残水内の菌の増殖を抑制でき、安全かつ製品のメンテナンス頻度の低減および製品寿命を容易に確保することができるとともに、部品点数を増やすことなく完全排水が出来るため製品のサイズおよびコスト低減ができる。
【００５２】
また、請求項１３記載のサウナ装置は、超音波発振子と超音波発振子を固定する発振子固定手段と水を貯水するタンクとタンクに水を供給する給水口配管とタンクの水を排水する排水口配管を備え、水を貯水するタンク底面に対し反射板を斜めに備え、反射板と平行になる角度で超音波発振子を取り付けたものであり、タンクに給水したときに超音波発振子表面の空気ダマが斜め方向に抜けるため、超音波発振子表面の空気ダマがなくなり、空気を振動させることがなくなるため空気ダマによる超音波発振子の故障を低減し、安全かつ製品のメンテナンス頻度の低減および製品寿命を容易に確保することができる。
【００５３】
以下、本発明の実施の形態について図面を参照しながら説明する。
【００５４】
（実施の形態１）
図１に示すように、浴室等よりなるサウナ対象室１の天井裏空間２にサウナ装置を形成する装置本体３を設け、装置本体３の下面に形成された開口部４は天井開口５を介してサウナ対象室１に連通している。また、装置本体３には水を装置本体３に供給する給水管６および装置本体３から排出される水を排水する排水管７が接続されている。装置本体３はサウナ対象室１の天井開口５を介して天井裏空間２に装置本体３を備え、サウナ対象室１側にパネル８を有し、天井９を装置本体３とパネル８で挟み込む構成である。
【００５５】
装置本体３は天井開口５に向け開口を有する箱形状のフレーム１０により囲われ、内部に水回路を形成する給水弁１１と給水口配管１２と、給水された水を貯水するタンク１３とタンク１３の下部にはタンク１３内部と連通する排水口配管１４と排水弁１５を備え、タンク１３には加湿手段１６として底部に超音波発振子１７が一つあるいは複数個有し、一方、空気回路としてパネル８は空気を吸込む吸込口１８と空気を吹き出す吹出口１９を備え、サウナ対象室１から吸込口１８より加湿手段１６上部の加湿空気が漂う合流部２２を介して送風手段２０に導く循環流通路２１を有し、送風手段２０に導かれる風路構成で、送風手段２０を通過した空気流は加熱手段であるヒーター２３を通過し吹出口１９よりサウナ対象室１に送風される。
【００５６】
また、装置本体３は給水弁１１、排水弁１５、超音波発振子１７、送風手段２０、加熱手段であるヒーター２３と電気的に接続した（図示せず）制御手段２４を備え、制御手段２４は給水弁１１、排水弁１５、超音波発振子１７、送風手段２０、加熱手段であるヒーター２３の動作指示を司る構成としたものである。
【００５７】
加湿手段１６のタンク１３内部には水温を冷却するクーラー２５と水温を検知する水温検知手段２６とタンク１３内水位を検知する水位検知手段２７が備えられており、サウナ運転の指示を制御手段２４が認識すると、給水弁１１が開となり、給水管６より水道水が給水口配管１２を通過してタンク１３内に導かれ、タンク１３内に水が溜まることとなる。タンク１３内の水がある一定水位以上となると水位検知手段２７が動作し電気的に接続された制御手段２４に信号を送り、制御手段２４より給水弁１１に「閉」の信号が送信され給水弁１１は閉まりタンク１３への給水は止まることとなる。さらに制御手段２４より超音波発振子１７へ信号が送られ超音波発振子１７が動作し、加湿手段１６が加湿することとなる。一方、超音波発振子１７が動作すると同時に制御手段２４より送風手段２０へ動作信号が送られ送風手段２０が動作しサウナ対象室１から吸込口１８を通過して装置本体３に流入した空気は加湿空気となって吹出口１９よりサウナ対象室１へ送風されることとなる。
【００５８】
一方、サウナ運転の指示を制御手段２４が認識したとき加熱手段であるヒーター２３に動作信号が送信され、ヒーター２３が加熱され送風機２０が動作することにより、吸込口１８よりサウナ対象室１から吸込まれた空気は加湿手段１６を通過した後ヒーター２３を通過するためサウナ対象室１に加熱加湿空気を送風することとなる。
【００５９】
吹出口１９より加熱加湿空気がサウナ対象室１に送風されるため、サウナ対象室１内の温度湿度は時間の経過とともに高くなっていく。高温高湿になったサウナ対象室１内の空気を吸込口１８より吸込み装置本体３内で再び加熱加湿するため循環流通路２１に位置する加湿手段１６のタンク１３内の水温は次第に上昇していくこととなる。水温が上昇すると特に６０℃を越えると水中に溶け込んでいるカルシウム、マグネシウム、シリカ等のミネラル分の水中析出が著しくなり、水中のスケール比率が高くなり、結果タンク１３の内壁に付着、あるいは超音波発振子１７表面に付着することとなる。またサウナ運転終了後にタンク１３内の水を排水した場合、析出したスケールが超音波発振子１７の表面に残る、あるいは排水管７内面に付着し排水不良となる可能性がある。このためタンク１３内には水温検出手段２６が設けられ、タンク１３内の水温を常時検知し、ある一定温度以上、（一例として）３０℃以上を検知すると電気的に接続した制御手段２４に信号を送信し、制御手段２４よりタンク１３内に備えたクーラー２５に信号を送りクーラー２５により２０〜３０℃にタンク１３内水温を保つ動作を行う。超音波発振子１７はタンク１３内水温が高いと寿命が短くなるため、水温を管理することは加湿手段１６つまりは装置本体３のメンテナンス頻度あるいは寿命に対して有効である。また、加湿手段１６運転時は加湿を行うめタンク１３内水位は減少する。タンク１３内水位がある一定値以下となった場合、水位検知手段２７が作動し、電気的に接続した制御手段２４に信号を送り、制御手段２４より給水弁１１に信号を送ることにより、給水弁１１は開となり給水口配管１４よりタンク１３へ水道水を給水する。
【００６０】
また、サウナ運転停止の信号を制御手段２４が認識すると、電気的に接続した送風手段２０、超音波発振子１７、ヒーター２３に信号を送り停止する。また、クーラー２５、給水弁１１が動作していた場合、クーラー２３、給水弁１１も停止あるいは閉とする。給水弁１１が閉となった後、排水弁１５が開きタンク１３内の残水を排水口配管１４を介し排水管７より装置本体３外に放出することにより、タンク３内には残水が残らないこととなり、サウナ停止時における残水内の雑菌の増殖および残水乾燥における残水以内に元々含まれていたミネラル分つまりはスケール成分の付着を抑制することができる。超音波発振子１７の表面へのスケールあるいはゴミの付着は超音波発振子１７の寿命低減または破壊につながるため、本発明実施例のような天井裏空間２に装置本体３を隠蔽するような設置の場合はメンテナンス頻度の低減、製品寿命の長期化を図ることができ非常に有効である。
【００６１】
また吸込口１８から吸込まれたサウナ対象室１の空気は超音波発振子１７により加湿された平均粒径１０μｍ以下の加湿空気と加湿手段１６の上部に位置する合流部２２で合流し、羽根にシロッコファン２８を有する送風手段２０を介し加熱手段としてのヒーター２３に導かれる。加湿空気は気液分離手段２９としてのシロッコファン２８に吸込まれ、シロッコファン２８の一枚一枚の羽根に衝突することによりさらに細かい水粒子に破砕され、シロッコファン２８を通過した加湿空気は、循環流通路２１を構成するシロッコファン２８周囲の壁面に衝突し、大粒水滴は付着する。付着した大粒水滴は自重によりシロッコファン２８の下部に備えた大粒水滴回収皿３０に回収され、大粒水滴回収皿３０は水路的に加湿手段１６のタンク１３に接続されており、またタンク１３側に下り勾配をとった配置としているため、大粒水滴回収皿３０に回収された水はタンク１３に戻されることとなる。
【００６２】
一方、シロッコファン２８を通過した加湿空気は平均粒径が１μｍ以下の微細な水滴のみとなりヒーター２３を介して加熱され、微細な加熱加湿空気となって吹出口１９よりサウナ対象室１へ吹き出されることとなる。湿度は拡散性を持っており一方微細な水滴は気流と交わるため、サウナ対象室１に吹き出される加熱加湿空気は温度湿度が均一となり、むらのない均一サウナ対象室１が得られるサウナ装置となる。
【００６３】
図２は超音波発振子１７の吹出粒径分布を表し、図３は吹出口１９の吹き出し粒径分布を表している。本試験は位相ドップラー式レーザー粒子分析計で行っているが、図２からも判るように超音波発振子１７で加湿をした場合平均粒子径２〜５μｍとなるが、超音波発振子１７の振動周波数により粒径は変化することと、測定装置として０．７５μｍ以下の粒径が測定できないため実際に粒径ピーク値が０．７５μｍ以下にある可能性があるため加湿手段１６から発生する平均粒子径を１０μｍ以下の粒径とした。粒子径が大きい場合その後ヒーターで加熱される際、蒸発潜熱で必要以上に空気流の温度の低減を招き、一方大粒水滴が蒸発しないで加熱のみされて吹出口１９より吹き出される場合、サウナ対象空間１に吹き出された直後、自重で床面に落ち排水されてしまうためサウナ対象室１の加熱加湿寄与度が著しく低くなる。またサウナ対象室１に送風される加湿空気は体感的にも水冷感がないことが望ましく、このためにもヒーター２３の吸込側の時点で粒子径を細かくし、水滴はヒーター２３による加熱またはヒーター２３によって加熱した空気流による加熱により水冷感のない加湿空気をサウナ対象室１に吹き出す必要がある。また気液分離手段２９を介することで通過粒子径は小さくなるためサウナ対象室１へは粒子径の細かい（図３）加湿空気が吹き出され有効的にサウナ対象室１内を加温・加湿することとなる。なお、図３において０．７５μｍで粒径ピークとなっているが、先にも述べたように測定器では０．７５μｍ以下の粒径が測定できないため、粒径ピークがさらに細かい粒径にあることが容易に予想できる。
【００６４】
このことにより、使用者に水滴によるわずらわしさを与えることのない空間となるサウナ対象室１を提供できるので、サウナ対象室１内での読書が可能となり、サウナ対象室１の利用範囲を広げることができ、また温水を使用しないため装置本体３自体の寿命を長期化できる。
【００６５】
なお、本発明の実施例では送風手段２０のシロッコファン２８を気液分離手段２９として用いたが、加湿手段１６と送風手段２０の間に別途気液分離手段２９を設けてもよく、気液分離手段２９を送風手段２０の吸込み側に設けることにより、送風手段２０に導かれる加湿空気の内部に存在する水滴は既に微細な状態となっているため、シロッコファン２８の各々の羽根に大粒水滴が衝突することもなくなり、またシロッコファン２８を駆動する電動機（図示せず）も大粒水滴浸入による劣化を防止することができるため、送風手段２０の耐久性が向上するという効果がある。
【００６６】
また、加湿手段１６に超音波発振子１７を用いたが、高圧スプレー加湿方式または遠心加湿方式の風下側に気液分離手段２９を用いてもよく、気液分離手段２９以降の粒径は気液分離手段２９と送風手段２０と加湿手段１６つまりは高圧スプレー加湿方式または遠心加湿方式の性能を変化させることにより、同じ径にすることが可能であるため何ら作用・効果に差異はない。
【００６７】
なお、高圧スプレー加湿方式とは給水を加圧して噴射口から水または水と圧縮空気を吹き出し噴霧し加湿する方式を示し、遠心加湿方式とは高速に回転する回転盤に水を供給することにより、水は円盤上を薄膜となり円盤端部から流出し、流出した水が円盤周囲のエリミネーターに衝突することにより噴霧し加湿する方式を示し、超音波加湿方式とは超音波振動子水面下面に設置し、超音波振動により水の表面に噴水状の水中を形成し、形成された水中先端部より水が霧化し加湿する方式を示す。
【００６８】
（実施の形態２）
実施の形態２について説明する。なお、実施の形態１と同一個所は同一記号とし説明は省略する。
【００６９】
図４に示すように、装置本体３は天井開口５に向け開口を有する箱形状のフレーム１０により囲われ、空気回路としてパネル８は空気を吸込む吸込口１８と空気を吹き出す吹出口１９を備え、サウナ対象室１から吸込口１８を通過し送風手段２０により合流部２２に送風される第一の循環流通路２１ａと、吸込口１８を通過し加湿手段用送風手段３１により風下側に配置した加湿手段１６を介し加湿空気となり合流部２２に導く第二の循環流通路２１ｂを有し、合流部２２より加熱手段であるヒーター２３を通過し、加熱加湿空気となって吹出口１９からサウナ対象室１へ吹き出される。
【００７０】
上記構成によると送風手段２０および加湿手段用送風手段３１が加湿手段１６あるいは合流部２２より風上側に配列されるため、直接加湿手段１６からの加湿空気の高湿度や大粒水滴にさらされることがなくなるため、大粒水滴の羽根への衝突による経時劣化を抑制することができるとともに、各々の送風手段に使用される電動機の選定が容易となる。
【００７１】
また、送風のみを行う第一の循環流通路２１ａと加湿空気を送風する第二の循環流通路２１ｂを有するため、送風手段２０と加湿手段用送風手段３１の運転／停止の組み合わせにより吹き出し吹出口１９から吹出される吹き出し空気の相対湿度を容易に操作することができ、高温高湿を好む使用者から中温低湿好む使用者まで幅広い使用者のニーズに応えることができる。
【００７２】
なお、本実施例では気液分離手段２９を装備しない構成で説明したが、第二の循環流通路２１ｂの加湿手段１６風下側に大粒水滴と微細水滴を分離し大粒水滴を回収するとともに微細水滴のみ通過させる気液分離手段２９を備えてもよく、合流部２２には微細な水滴のみが供給されるため、ヒーター２３表面に水滴内に含まれるスケールの析出が減少しヒーター２３の寿命を確保することが容易となるといった効果がある。
【００７３】
（実施の形態３）
実施の形態３について説明する。なお、実施の形態１、２と同一個所は同一符号とし説明は省略する。
【００７４】
図５および図６に示すように、加湿手段１６のタンク１３内部には水温を冷却するクーラー２５と水温を検知する水温検知手段２６とタンク１３内水位を検知する水位検知手段２７が備えられており、サウナ運転の指示を制御手段２４が認識すると、給水弁１１が開となり、給水管６より水道水が給水口配管１２と通過してタンク１３内に導かれ、タンク１３内に水が溜まることとなる。タンク１３内の水がある一定水位以上となると水位検知手段２７が動作し電気的に接続された制御手段２４に信号を送り、制御手段２４より給水弁１１に「閉」の信号が送信され給水弁１１は閉まりタンク１３への給水は止まることとなる。さらに制御手段２４より超音波発振子１７へ信号が送られ超音波発振子１７が動作し、加湿手段１６が加湿することとなる。一方、超音波発振子１７が動作すると同時に制御手段２４より送風手段２０へ動作信号が送られ送風手段２０が動作しサウナ対象室１から吸込口１８を通過して装置本体３に流入した空気は加湿空気となって吹出口１９よりサウナ対象室１へ送風されることとなる。タンク１３の下部に取り付けた超音波発振子１７は水のない状態での空運転を行うと故障する虞があることと、一般的に超音波発振子１７はリング状のパッキン材１７ａをタンク１３底面に当てる構造でシールする方式が一般的なため超音波発振子１７の発振子自体はタンク１３の最下部に位置することとなる。一方タンク１３は両端面に回転支持手段３２と回転駆動手段３３を備え、回転支持手段３２はタンク１３の端面の中心に位置した棒状のものであり、一方対向する端面は中心の位置に備えた棒状の回転支持手段３２と回転支持手段３２の棒を回転する回転駆動手段３３を有する。回転駆動手段３３は電気的に制御手段２４と接続している。
【００７５】
また、サウナ運転停止の信号を制御手段２４が認識すると、電気的に接続した送風手段２０、超音波発振子１７、ヒーター２３に信号を送り停止する。また、クーラー２５、給水弁１１が動作していた場合、クーラー２５、給水弁１１も停止あるいは閉とする。ヒーター２３と超音波発振子１７とクーラー２５と水温検知手段２６と水位検知手段２７は伸縮自在、あるいは弛みを持たせて制御手段２４と接続されている。給水弁１１が閉となった後、制御手段２４より回転駆動手段３３に信号を送り回転駆動手段３３が駆動し、タンク１３対面に位置する回転支持手段３２を中心にタンク１３が回転する。タンク１３は初期の位置から１８０°回転することによりタンク１３内部の残水は全て下部に落としこむこととなる。タンク１３の下部には、タンク１３が１８０°回転するために十分な距離を置いた位置にパン３４を備えている。パン３４は上面が開口した箱型の形状であり、底面には排水口配管１４と連通する穴を備えており、容量は回転駆動手段３３の回転速度による。つまり回転駆動手段３３の回転速度が速ければ、タンク１３とほぼ同等の容量が必要となり、一方回転駆動手段３３の回転速度が遅く、タンク１３から落下する水の量とパン３４の底面に設けた穴より排水口配管１４に排水する量が等しければパン３４の容量は少なくて済むこととなる。また、回転駆動手段３３が駆動を開始するとともに制御手段２４から排水弁１５へ信号が送信され、排水弁１５が開きタンク１３内から落下しパン３４に回収された残水をパン３４下部に設けた穴を通過し排水口配管１４を介し排水管７より装置本体３外に放出することにより、タンク３内およびパン３４には残水が残らないこととなり、特にタンク１３は逆さまになることによる残水落下のためパッキン材１７ａの下部に位置した発振子自体の残水も完全になくなり、サウナ停止時における残水内の雑菌の増殖および残水乾燥における残水以内に元々含まれていたミネラル分つまりはスケール成分の付着を抑制することができる。超音波発振子１７の表面へのスケールあるいはゴミの付着は超音波発振子１７の寿命低減または破壊につながるため、本発明実施例のような天井裏空間２に装置本体３を隠蔽するような設置の場合はメンテナンス頻度の低減、製品寿命の長期化を図ることができ非常に有効である。回転駆動手段３３が１８０°回転した一定時間後に再び駆動時とは逆回転方向に回転駆動手段３３は駆動し元の位置にタンクが戻った時に停止する。その後送風手段２０が動作し、タンク１３表面を空気流が流れることによりタンク１３内面は完全に乾燥することとなる。
【００７６】
（実施の形態４）
実施の形態４について説明する。なお、実施の形態１〜３と同一個所は同一符号とし説明は省略する。
【００７７】
図７に示すように、装置本体３は天井開口５に向け開口を有する箱形状のフレーム１０により囲われ、空気回路としてパネル８は空気を吸込む吸込口１８と空気を吹き出す第一の吹出口１９ａを備え、サウナ対象室１から吸込口１８を通過し送風手段２０により合流部２２に送風される第一の循環流通路２１ａと、吸込口１８を通過し加湿手段１６を介した第二の循環流通路２１ｂを有している。第二の循環流通路２１ｂは加湿手段１６の風下側に第一の循環流通路２１ａの合流部２２に導く風路と、第二の吹出口１９ｂに導く風路を切り替える風路切替ダンパー３６を備えている。風路切替ダンパー３６が第一の循環流通路２１ａの合流部２２側に切り替わると第二の循環流通路２１ｂを流れる空気は、加湿手段１６により加湿された後、合流部２２でサウナ対象室１から吸込んだ空気と合流し気液分離手段２９で微細な水滴のみを含む空気となった後、ヒーター２３を通過し、微細な水滴のみを含む加熱加湿空気となって第一の吹出口１９ａからサウナ対象室１へ吹き出される。一方、風路切替ダンパー３６が第二の循環流通路２１に空気流が流れるように切り替わると第二の循環流通路２１ｂを通過する空気流は合流部２２に導かれずに吹出口１９ｂよりサウナ対象室１に吹き出す風路と、サウナ対象室１から吸込んだ空気をヒーター２３により加温して吹出口１９ａより吹き出す風路に区分される。このため、第二の循環流通路２１ｂを通過する空気流は加湿手段１６により加湿された状態で第二の吹出口１９ｂから吹き出されることとなり、また加湿手段１６はタンク１３の下部に超音波発振子１７を備えた方式のため加湿手段１６から加湿される空気は微細なものから目に見える靄レベルの水滴まで含んだものであり、第二の吹出口１９ｂから吹き出される加湿空気は目視できる靄レベルの水滴粒子を含んだものとなる。
【００７８】
上記構成において、風路切替ダンパー３６を切り替えることにより吹出口１９からは微細な水滴のみを含んだ加熱加湿空気と、目視できる靄レベルの水滴を含んだ加湿空気を吹き出すモードに切り替えることが可能となり使用者のニーズに合せてモードを選択することができる。また微細な水滴のみを含んだ加熱加湿空気の吹き出しでは加湿していることが計器等使用しない限り使用者に伝わりづらく、一方靄を吹き出した場合は目視で使用者が加湿していることを判断することができるという効果があり、実際機器購入前の使用予定者に微細な水滴でのサウナ浴を体感していただくのは困難なため、靄吹き出し加湿はチラシ等視覚のみに訴える宣伝等には非常に大きな効果が期待できる。
【００７９】
なお本発明の実施例では靄を発生するときに第一の循環流通路２１ａからサウナ対象室１に加熱空気が送風されるが、第一の循環流通路２１ａ内に新たにダンパーを設けて靄を発生するモードの時には第一の循環流通路２１ａに空気を流さない構成としてもよく、前記構成の場合ヒーター２３を空気流が通過することなく第二の吹出口１９ｂからのみふきだされるため、加熱による水滴の蒸発等がなくなりより多くの靄をサウナ対象室１内に吹き出すことができるという効果がある。
【００８０】
（実施の形態５）
実施の形態５について説明する。なお、実施の形態１〜４と同一個所は同一符号とし説明は省略する。
【００８１】
図８および図９に示すように、加湿手段１６は底面に超音波を反射する反射板３８を備え、タンク１３の上部に反射板３８と向き合う方向に振動が伝わる向きに超音波発振子１７を取り付けた発振子固定手段３７を備えている。タンク１３内部にはタンク１３内水位を検知する水位検知手段２７が備えられており、水位検知手段２７は発振子固定手段３７に備えた超音波発振子１７の表面が完全に水に浸かる位置で信号を制御手段２４に送信する位置に備えられている。サウナ運転の指示を制御手段２４が認識すると、給水弁１１が開となり、給水管６より水道水が給水口配管１２を通過してタンク１３内に導かれ、タンク１３内に水が溜まることとなる。タンク１３内の水がある一定水位以上となると水位検知手段２７が動作し電気的に接続された制御手段２４に信号を送り、制御手段２４より給水弁１１に「閉」の信号が送信され給水弁１１は閉まりタンク１３への給水は止まることとなる。さらに制御手段２４より超音波発振子１７へ信号が送られ超音波発振子１７が動作する。超音波発振子１７から発した波動はタンク１３底面に備えた反射板３８に反射しタンク１３に貯水した水面を振動させ加湿することとなる。
【００８２】
また、サウナ運転停止の信号を制御手段２４が認識すると、電気的に接続した超音波発振子１７に信号を送り停止する。また、給水弁１１が動作していた場合、給水弁１１も停止あるいは閉とする。給水弁１１が閉となった後、排水弁１５が開きタンク１３内の残水を排水口配管１４を介し排水管７より装置本体３外に放出することにより、タンク３内には残水が残らないこととなり、特に超音波発振子１７の表面へのスケールあるいはゴミの付着は超音波発振子１７の寿命低減または破壊につながるため、本発明実施例のような天井裏空間２に装置本体３を隠蔽するような設置の場合はメンテナンス頻度の低減、製品寿命の長期化を図ることができ非常に有効である。
【００８３】
（実施の形態６）
実施の形態６について説明する。なお、実施の形態１〜５と同一個所は同一符号とし説明は省略する。
【００８４】
図１０および図１１に示すように、加湿手段１６は水を貯水するタンク１３底面に対し反射板３８を斜めに備え、反射板３８と平行になる角度で発振子固定手段３７の超音波発振子１７表面を取り付けたものであり、超音波発振子１７の角度は超音波発振子１７の表面に給水した時に残る空気ダマを抜くために十分な角度である。またタンク１３内部にはタンク１３内水位を検知する水位検知手段２７が備えられており、水位検知手段２７は発振子固定手段３７に備えた超音波発振子１７の表面が完全に水に浸かる位置で信号を制御手段２４に送信する位置に備えられている。サウナ運転の指示を制御手段２４が認識すると、給水弁１１が開となり、給水管６より水道水が給水口配管１２を通過してタンク１３内に導かれ、タンク１３内に水が溜まることとなる。タンク１３内の水が溜まるにつれ発振子固定手段３７に備えた超音波発振子１７が浸かることとなるが、超音波発振子１７は結果斜めに取り付いているため超音波発振子１７の表面つまりは発振子固定手段３７のタンク１３底面側に溜まる行き場をなくした空気ダマはタンク１３に貯水された水の水面に向かうこととなるため、超音波発振子１７が完全に水に浸かった状態のときに超音波発振子１７表面に空気ダマが残ることはない。その後ある一定水位以上となると水位検知手段２７が動作し電気的に接続された制御手段２４に信号を送り、制御手段２４より給水弁１１に「閉」の信号が送信され給水弁１１は閉まりタンク１３への給水は止まることとなる。さらに制御手段２４より超音波発振子１７へ信号が送られ超音波発振子１７が動作する。超音波発振子１７から発した波動はタンク１３底面に備えた反射板３８に反射しタンク１３に貯水した水面を振動させ加湿することとなる。超音波発振子１７の表面には空気ダマがないため空気を振動させることがなくなり空気ダマによる超音波発振子１７の故障を低減、また加湿性能の維持をすることができる。
【産業上の利用可能性】
【００８５】
本発明にかかるサウナ装置は、高湿温風空気を吹出す構造によって、暖房装置と加湿装置を一体に設けた空気調和装置あるいは温度・湿度制御が必要な動植物の育成・保存分野にも適応できる。
【符号の説明】
【００８６】
１    サウナ対象室
１６  加湿手段
１７  超音波発振子
１８  吸込口
１９  吹出口
２０  送風手段
２１  循環流通路
２２  合流部
２３  ヒーター
２６  水温検知手段
２８  シロッコファン
２９  気液分離手段
３２  回転支持手段
３３  回転駆動手段
３４  パン
３６  風路切替ダンパー
３７  発振子固定手段
３８  反射板
【図１】
2011056295.tif 000003
【図２】
2011056295.tif 000004
【図３】
2011056295.tif 000005
【図４】
2011056295.tif 000006
【図５】
2011056295.tif 000007
【図６】
2011056295.tif 000008
【図７】
2011056295.tif 000009
【図８】
2011056295.tif 000010
【図９】
2011056295.tif 000011
【図１０】
2011056295.tif 000012
【図１１】
2011056295.tif 000013
【図１２】
2011056295.tif 000014
【図１３】
2011056295.tif 000015
【手続補正書】
【提出日】平成23年1月11日(2011.1.11)
【手続補正１】
【補正対象書類名】明細書
【補正対象項目名】００１３
【補正方法】削除
【補正の内容】
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
本発明のサウナ装置は上記目的を達成するために、空気を加湿する手段に超音波発振子を用いた加湿手段で、加湿手段は超音波発振子と超音波発振子を固定する発振子固定手段と水を貯水するタンクとタンクに水を供給する給水口配管とタンクの水を排水する排水口配管を備え、タンクは底面に反射板を備え、超音波発振子が反射板に向き合う方向に取り付けたものであり、排水口配管より排水したときに超音波発振子表面に水が残らないサウナ装置が得られる。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】変更
【補正の内容】
【００３７】
本発明によれば、空気を加湿する手段に超音波発振子を用いた加湿手段で、加湿手段は超音波発振子と超音波発振子を固定する発振子固定手段と水を貯水するタンクとタンクに水を供給する給水口配管とタンクの水を排水する排水口配管を備え、タンクは底面に反射板を備え、超音波発振子が反射板に向き合う方向に取り付けたことにより、排水口配管より排水したときに超音波発振子表面に水が残らないため、発振子表面への水成分内のスケールの析出、および残水内の菌の増殖を抑制する効果のあるサウナ装置を提供できる。
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】変更
【補正の内容】
【００５１】
本発明の請求項１記載のサウナ装置は、空気を加湿する手段に超音波発振子を用いた加湿手段で、加湿手段は超音波発振子と超音波発振子を固定する発振子固定手段と水を貯水するタンクとタンクに水を供給する給水口配管とタンクの水を排水する排水口配管を備え、タンクは底面に反射板を備え、超音波発振子が反射板に向き合う方向に取り付けたことにより、排水口配管より排水したときに超音波発振子表面に水が残らないため、発振子表面への水成分内のスケールの析出、および残水内の菌の増殖を抑制でき、安全かつ製品のメンテナンス頻度の低減および製品寿命を容易に確保することができるとともに、部品点数を増やすことなく完全排水が出来るため製品のサイズおよびコスト低減ができる。
【手続補正３７】
【補正対象書類名】明細書
【補正対象項目名】００５２
【補正方法】変更
【補正の内容】
【００５２】
また、請求項２記載のサウナ装置は、超音波発振子と超音波発振子を固定する発振子固定手段と水を貯水するタンクとタンクに水を供給する給水口配管とタンクの水を排水する排水口配管を備え、水を貯水するタンク底面に対し反射板を斜めに備え、反射板と平行になる角度で超音波発振子を取り付けたものであり、タンクに給水したときに超音波発振子表面の空気ダマが斜め方向に抜けるため、超音波発振子表面の空気ダマがなくなり、空気を振動させることがなくなるため空気ダマによる超音波発振子の故障を低減し、安全かつ製品のメンテナンス頻度の低減および製品寿命を容易に確保することができる。
【手続補正３８】
【補正対象書類名】特許請求の範囲
【補正対象項目名】全文
【補正方法】変更
【補正の内容】
【特許請求の範囲】
【請求項１】
空気を加湿する手段に超音波発振子を用いた加湿手段で、前記加湿手段は超音波発振子と前記超音波発振子を固定する発振子固定手段と水を貯水するタンクと前記タンクに水を供給する給水口配管と前記タンクの水を排水する排水口配管を備え、前記タンクは底面に反射板を備え、前記超音波発振子が前記反射板に向き合う方向に取り付けたことを特徴としたサウナ装置。
【請求項２】
水を貯水するタンク底面に対し反射板を斜めに備え、前記反射板と平行になる角度で超音波発振子を取り付けたことを特徴とする請求項１記載のサウナ装置。